(57)【要約】【課題】天井目地等の部材を使用することなく、ネジ等を隠して美観を確保するシステムバスのパネル構造を提供する。【解決手段】天井パネル１５と、第１接合部１１ａ及び第２接合部１１ｂを有する第１天枠１１と、載置部１１ｂ及び接合部１２ａを有する第２天枠１２とを備え、第１天枠１１は、第２接合部１１ｂの固定に用いるネジ２１を、第１接合部１１に挿入された天井パネル１５によって隠れるように設置し、第２天枠１２は、接合部１２ａの固定に用いるネジ２１を、載置部１１ｂに載置された天井パネル１５によって隠れるように設置したことを特徴とする。【選択図】図１
2016145459.tif 000002
【特許請求の範囲】
【請求項１】
天井パネルと、
２つの枠片により前記天井パネルの一の端部を挟み込む第１接合部、及び、第１壁パネルの上端に固定される第２接合部、を有する第１天枠と、
前記天井パネルの他の端部を載置する載置部、及び、前記第１壁パネルの側方に配置された第２壁パネルの上端に固定される第３接合部、を有する第２天枠と、
を備え、
前記第１天枠は、
前記第２接合部の固定に用いる締結手段を、前記第１接合部の枠片間に挿入された前記天井パネルの一の端部によって隠れるように設置し、
前記第２天枠は、
前記第３接合部の固定に用いる締結手段を、前記載置部に載置された前記天井パネルの他の端部によって隠れるように設置した、
ことを特徴とするシステムバスのパネル構造。
【請求項２】
前記天井パネルとして第１天井パネル及び第２天井パネルを備え、
複数の前記第１天枠を対向配置して該第１天枠に前記第１天井パネル及び前記第２天井パネルを各々接合させ、
複数の前記第２天枠を前記第１天枠の両側方に配置して該第２天枠に前記第１天井パネル及び前記第２天井パネルを各々載置させた、
ことを特徴とする請求項１に記載のシステムバスのパネル構造。
【請求項３】
前記第１天井パネル及び第２天井パネルの上面に備えられて該第１天井パネルと第２天井パネルとを接続する接続手段と、
前記第１天井パネルを前記第２天枠に固定する固定手段と、
を備えたことを特徴とする請求項２に記載のシステムバスのパネル構造。
【請求項４】
前記第１天枠は、
前記第天井パネルの浴室側表面と接する前記第１接合部の部位、及び、前記第１壁パネルの浴室側表面と接する前記第２接合部の部位に、軟性の止水部が一体形成され、
前記第２天枠は、
前記第天井パネルの浴室側表面と接する前記載置部の部位、及び、前記第２壁パネルの浴室側表面と接する前記第３接合部の部位に、軟性の止水部が一体形成されている、
ことを特徴とする請求項１から３のいずれか１項に記載のシステムバスのパネル構造。
【発明の詳細な説明】
【技術分野】
【０００１】
この発明は、システムバスを構成するパネルの取り付け、もしくは各パネルを接合するための構造に関するもので、特に浴室の天井部分を構成するパネル構造に関するものである。
【背景技術】
【０００２】
従来より、システムバスを形成する天井パネルと壁パネルとの接合部分には、ネジ等を用いて各パネルを枠材等に固定する構造が採用されている。
例えば、壁パネルの上端部分にタップネジを締結することによって天井回し縁を取り付ける。さらに、この天井回し縁に形成されているはめ込み部分に、天井パネルの端部をはめ込んで固定する構造が用いられている。このような構造では、上記の天井回し縁に天井目地部材等を取り付け、上記のタップネジを隠している。
【０００３】
また、例えば、前述の壁パネル上端部分に相当する壁フレームに、ネジを使用して支持枠片を固定する。固定された支持枠片は、壁パネルの上方に延在するように配置され、上方の部分に受部を有しており、この受部で天井パネルの端部を受ける。この部分に例えばタップネジを締め込んで天井パネルに支持枠片を固定し、当該天井パネルと壁パネルとを接合する。ネジ等が露出する壁パネルと天井パネルとの接合部分には、天井目地材を係合してネジ等を覆い隠し、浴室内の美観を確保するものがある（特許文献１参照）。
【先行技術文献】
【特許文献】
【０００４】
【特許文献１】特開２０１２−１８０６４１号公報
【発明の概要】
【発明が解決しようとする課題】
【０００５】
従来のシステムバスを構成する天井パネルは上記のように固定されており、天井の周縁全体に天井目地部材を取り付けていることから、システムバスを組み立てる際の工数が増大し、また必要な部材も相当数となってコストを高めてしまうという問題点があった。
また、天井目地部材を省略すると、取り付けネジ等が露出して美観を損ね、またさらに浴室内の水滴等が付着し易くなるため、ネジなどの腐食が早期に発生してシステムバスの劣化が進行するという問題点があった。
【０００６】
本発明は、上記実情に鑑み提案されたもので、天井目地等の部材を使用することなく、ネジ等を隠して美観を確保するシステムバスのパネル構造を提供することを目的とする。
【課題を解決するための手段】
【０００７】
この発明に係るシステムバスのパネル構造は、天井パネルと、２つの枠片により前記天井パネルの一の端部を挟み込む第１接合部、及び、第１壁パネルの上端に固定される第２接合部、を有する第１天枠と、前記天井パネルの他の端部を載置する載置部、及び、前記第１壁パネルの側方に配置された第２壁パネルの上端に固定される第３接合部、を有する第２天枠とを備え、前記第１天枠は、前記第２接合部の固定に用いる締結手段を、前記第１接合部の枠片間に挿入された前記天井パネルの一の端部によって隠れるように設置し、前記第２天枠は、前記第３接合部の固定に用いる締結手段を、前記載置部に載置された前記天井パネルの他の端部によって隠れるように設置したことを特徴とする。
【０００８】
また、前記天井パネルとして第１天井パネル及び第２天井パネルを備え、複数の前記第１天枠を対向配置して該第１天枠に前記第１天井パネル及び前記第２天井パネルを各々接合させ、複数の前記第２天枠を前記第１天枠の両側方に配置して該第２天枠に前記第１天井パネル及び前記第２天井パネルを各々載置させたことを特徴とする。
【０００９】
また、前記第１天井パネル及び第２天井パネルの上面に備えられて該第１天井パネルと第２天井パネルとを接続する接続手段と、前記第１天井パネルを前記第２天枠に固定する固定手段と、を備えたことを特徴とする。
【００１０】
また、前記第１天枠は、前記第天井パネルの浴室側表面と接する前記第１接合部の部位、及び、前記第１壁パネルの浴室側表面と接する前記第２接合部の部位に、軟性の止水部が一体形成され、前記第２天枠は、前記第天井パネルの浴室側表面と接する前記載置部の部位、及び、前記第２壁パネルの浴室側表面と接する前記第３接合部の部位に、軟性の止水部が一体形成されていることを特徴とする。
【発明の効果】
【００１１】
この発明によれば、天井目地部材などを取り付けることなく固定に用いるネジを浴室側表面から隠すことができ、組み立て施工を簡易にして仕上がり美観を高めることができる。
【図面の簡単な説明】
【００１２】
【図１】本発明の実施例によるシステムバスのパネル構造を示す説明図である。
【図２】本実施例によるシステムバスのパネル構造を示す説明図である。
【図３】本実施例のシステムバスを構成する天井パネルの取り付け態様を示す説明図である。
【図４】本実施例のシステムバスの施工処理を示す説明図である。
【発明を実施するための形態】
【００１３】
以下、この発明の実施の一形態を説明する。
（実施例）
図１は、本発明の実施例によるシステムバスのパネル構造を示す説明図である。図１（ａ）は、本実施例であるシステムバス１を上方から視たもので、システムバス１の床面形状もしくは天井の形状が四辺形をしていることを表している。
システムバス１は、四方に壁パネルを配置しており、例えば対向する壁パネル１６，１６、ならびに対向する壁パネル１７，１７を備えている。また、システムバス１の床面部分には、浴槽１３と洗場フロア１４が隣接配置されている。
【００１４】
浴槽１３は、洗場フロア１４との隣接側と対向する側を、当該浴槽側の壁パネル１６と接している。また、洗場フロア１４は、浴槽１３との隣接側と対向する側を、当該洗場側の壁パネル１６と接している。
各壁パネル１６の上端部分には、図１（ｂ）に示した天枠１１が取り付けられており、各壁パネル１７の上端部分には図１（ｃ）に示した天枠１２が取り付けられている。
【００１５】
図１（ｂ）は天枠１１の縦断面形状を示し、また、図１（ｃ）は天枠１２の縦断面形状を示している。
天枠１１は、２つの枠片の間が側方（水平方向）に開口して断面形状が凹状となる第１接合部１１ａと、２つの枠片の間が下方へ開口して断面形状が凹状となる第２接合部１１ｂとを備えている。
第２接合部１１ｂの開口部、即ち２つの枠片間には壁パネル１６の上端部分が挿入され、この上端部分を挟持する状態で当該天枠１１は壁パネル１６に固定されている。
【００１６】
詳しくは、天枠１１（もしくは第２接合部１１ｂ）は、例えば第２接合部１１ｂの２つの枠片が接合されている部分に天枠固定金具２２を備え、この天枠固定金具２２にネジ２１を締結することにより、当該２つの枠片の間が狭まるように構成されている。
第２接合部１１ｂに壁パネル１６の上端部分を挿入してネジ２１を天枠固定金具２２に締結する。このネジ２１の締め付けにより、第２接合部１１ｂの２つの枠片が壁パネル１６を挟み込み、当該天枠１１が壁パネル１６に固定される。
【００１７】
壁パネル１６に取り付けられた天枠１１には、水平方向に開口した第１接合部１１ａに天井パネル１５の端部が挿入され、当該天枠１１を介して天井パネル１５と壁パネル１６が接合される。
なお、第１接合部１１ａは、２つの枠片、もしくは例えば上側となる一方の枠片がばね性を有するように形成されており、当該枠片間に挿入された天井パネル１５の端部を、適当な圧力を加えながら挟み込むように構成されている。
【００１８】
第１接合部１１ａに天井パネル１５が挿入されると、壁パネル１６への取り付けに用いたネジ２１は、天井パネル１５によって隠されることになり、浴室内から視認できなくなる。
天枠１１は、例えば複数のひれ状に形成された軟質の止水部３０を有している。この止水部３０は、天枠１１と一体形成されており、壁パネル１６の浴室側表面と接する部分（第２接合部１１ｂの枠片の一部分）と、天井パネル１５の浴室側表面と接する部分（第１接合部１１ａの枠片の一部分）に設けられている。
【００１９】
天枠１２は、２つの枠片の間が下方へ開口して断面形状が凹状となる接合部１２ａと、天井パネル１５の端部を載置する載置部１２ｂとを備えている。
天枠１２の接合部１２ａは、天枠１１の第２接合部１１ｂと同様に形成されたもので、接合部１２ａの２つの枠片の接合部分に天枠固定金具２３を備え、この天枠固定金具２３にネジ２１を締結することにより、当該２つの枠片の間が狭まるように構成されている。
【００２０】
載置部１２ｂは、断面形状が略上方を開放したＬ字状をしており、水平部分に天井パネル１５の端部が載置され、鉛直部分に上記のネジ２１を配置する構成となっている。
接合部１２ａの２つの枠片の間に壁パネル１７の上端部分を挿入し、天枠固定金具２３にネジ２１を締結させて当該枠片間を狭める。このようにして、天枠１２を壁パネル１７に取り付け固定しておき、当該天枠１２の載置部１２ｂに天井パネル１５を載置する。天枠１２の取り付け固定に用いたネジ２１は、載置された天井パネル１５によって隠れることになり、浴室内から視認できなくなる。
【００２１】
天枠１２は、例えば複数のひれ状に形成された軟質の止水部３０を有している。この止水部３０は、前述の天枠１１に設けられているものと同様な形状をしており、天枠１２と一体形成されている。天枠１２の止水部３０は、壁パネル１７の浴室側表面と接する部分（接合部１２ａの枠片の一部分）と、天井パネル１５の浴室側表面と接する部分（載置部１２ｂの水平部分）に設けられている。
【００２２】
図２は、本実施例によるシステムバスのパネル構造を示す説明図である。この図は、システムバス１の天井パネル１５の構成例を示したもので、当該天井パネル１５を側方から視た場合を表している。
天井パネル１５は、浴槽側天井パネル１５ａと洗場側天井パネル１５ｂによって構成されており、システムバス１の組み立て構築時に接合される。
浴槽側天井パネル１５ａの上面部（浴室側表面の背面）には、接続アングル３１が設置固定されており、洗場側天井パネル１５ｂの上面部（浴室側表面の背面）には、接続アングル３２が設置固定されている。
【００２３】
接続アングル３１は、浴槽側天井パネル１５ａの端部（洗場側天井パネル１５ｂとの接合面１５１）から所定長さ後退した位置に設置固定されており、接続アングル３２は、洗場側天井パネル１５ｂの端部（浴槽側天井パネル１５ａとの接合面１５２）から所定長さ突出させて設置固定されている。
なお、接続アングル３２を接合面１５２から突出させた長さは、接合面１５１から接続アングル３１を後退させた長さに対応し、例えば同等の長さである。
【００２４】
図３は、本実施例のシステムバスを構成する天井パネルの取り付け態様を示す説明図である。図３（ａ）は、システムバス１の組み立て施工において、浴槽側天井パネル１５ａの取り付け途中の状態を示した斜視図である。図示したシステムバス１は、既に対向配置された各壁パネル１６、対向配置された各壁パネル１７が設置固定されており、これら壁パネル１６などの上方から浴槽側天井パネル１５ａを接近させて設置固定する状態を示している。なお、図示したように接続アングル３１を取り付け固定した浴槽側天井パネル１５ａは、接続アングル３２を突出させて固定した洗場側天井パネル１５ｂよりも先行して天枠１１等に取り付けられる。
【００２５】
浴槽側天井パネル１５ａにおいて、接合面１５１の側方に位置する当該浴槽側天井パネル１５ａの端部は、壁パネル１７に固定された天枠１２に載置され、接合面１５１と対向する側の端部は、壁パネル１６に固定された天枠１１に接合される。詳しくは、接合面１５１側方の各端部は図１（ｃ）に示した天枠１２に載置され、その後、接合面１５１と対向する端部が図１（ｂ）に示した天枠１１の第１接合部１１ａに接合される。
【００２６】
図３（ｂ）は、図３（ａ）に示した部分Ａを表したもので、浴槽側天井パネル１５ａの接合面１５１の側方における天枠１２との接合部分を示している。また、図３（ｃ）は、図３（ａ）に示した部分Ｂを表したもので、前述の浴槽側天井パネル１５ａの一の端部と天枠１１との接合部分を示している。
浴槽側天井パネル１５ａの側面、即ち接合面１５１の側方に位置する部位には、例えば接合面１５１の端部近傍に、天枠１２と係合する図３（ｂ）に示した天井固定金具３３が固定されている。なお、天井固定金具３３は、当該浴槽側天井パネル１５ａを各天枠に固定する前に、当該浴槽側天井パネル１５ａの上面（浴室側表面の背面、即ちシステムバス１の外側部分）に取り付けられており、図示されない接合面１５１の他の端部にも取り付けられている。
【００２７】
壁パネル１６に固定された天枠１１は、図３（ｃ）に示したように前述の第１接合部１１ａ内に例えばシリコン系の充填剤４１が適量塗布されている。なお、充填剤４１は、図示を省略した天枠１２の載置部１２ｂについても、上記の第１接合部１１ａと同様に塗布されている。また、充填剤４１は、システムバス１の組み立て施工を行う際、適宜、漏水等の可能性がある部位に塗布する。
【００２８】
壁パネル１６ならびに壁パネル１７に、浴槽側天井パネル１５ａを接合するとき、接合面１５１の両側方に位置する当該浴槽側天井パネル１５ａの端部を、各壁パネル１７に固定された天枠１２の載置部１２ｂに載置する。このように載置することによって、天井固定金具３３は、図３（ｂ）に示したようにシステムバス１の外側となる天枠１２等の部位に当接する。
次に、天枠１１の第１接合部１１ａに、接合面１５１と対向する当該浴槽側天井パネル１５ａの端部を挿入して、第１接合部１１ａの枠片が有するばね性によって押え付ける。
【００２９】
このように浴槽側天井パネル１５ａの端部（接合面１５１と対向する端部）を天枠１１に取り付けた後、接合面１５１の両側方に位置する当該浴槽側天井パネル１５ａの端部を、天枠１２の載置部１２ｂ等に押し付けた状態で、天井固定金具３３を天枠１２の外側部分にネジ等を用いて固定する。
また、浴槽側天井パネル１５ａの、例えば天井固定金具３３と天枠１１に挿入される端部との中間となる部位において、図示を省略した天井固定板や固定ピース等を用いて、当該浴槽側天井パネル１５ａの外側面（上面）を天枠１２の外側部位に固定する。この固定により、浴槽側天井パネル１５ａの浮き上がりを防ぐ。
【００３０】
洗場側天井パネル１５ｂについても、浴槽側天井パネル１５ａと同様にして、各壁パネル１７に固定された天枠１２に、接合面１５２の両側方に位置する当該洗場側天井パネル１５ｂの端部を載置する。
次に、洗場フロア１４側の壁パネル１６に固定された天枠１１に、接合面１５２と対向する当該洗場側天井パネル１５ｂの端部（接続アングル３２設置側と対向する側）を挿入し、この端部を天枠１１の第１接合部１１ａのばね性によって押え付ける。
【００３１】
前述のように、浴槽側天井パネル１１及び洗場側天井パネル１２を、各々天枠１１ならびに天枠１２に取り付けると、接合面１５１と接合面１５２が接合する。この状態で接続アングル３１と接続アングル３２とを、例えばネジ等を用いて接続固定する。
また、洗場側天井パネル１５ｂの、例えば天井固定金具３３と天枠１１に挿入される端部との中間となる部位において、図示を省略した天井固定板や固定ピース等を用いて、当該洗場側天井パネル１５ｂの外側面（上面）を天枠１２の外側部位に固定する。この固定により、洗場側天井パネル１５ｂの浮き上がりを防ぐ。
【００３２】
図４は、本実施例のシステムバスの施工処理を示す説明図である。
浴槽側天井パネル１５ａと浴槽１３側の天枠１１は強固に固定されておらず、当該天枠１１の第１接合部１１ａが浴槽側天井パネル１５ａの端部を挟み込んで支持している。また、洗場側天井パネル１５ｂと洗場１４側の天枠１１も強固に固定されておらず、当該天枠１１の第１接合部１１ａが洗場側天井パネル１５ｂの端部を挟み込んで支持している。
そのため、図６左側に示したように各壁パネル１６にふくらみが生じる場合がある。
【００３３】
このような場合には、前述のように浴槽側天井パネル１５ａと洗場側天井パネル１５とを設置接続した後、壁パネル１６のふくらみが生じている部位にハンドル等を有する吸盤を取り付ける。
例えば、壁パネル１６がシステムバス１の外側へふくらんでいるときには、浴室中心に向かって上記のハンドルを引き寄せる。
具体的には、浴槽１３側の壁パネル１６を矢印Ｃで示した方向に引き寄せ、また、洗場フロア１４側の壁パネル１６を矢印Ｄで示した方向に引き寄せて上記のふくらみを矯正し、図６右側に示したように壁パネル１６を本来の形状に戻しておく。
【００３４】
以上のように本実施例によれば、天枠１１の第１接合部１１ａに天井パネルの一の端部を挿入することにより、第２接合部１１ｂの固定に用いているネジ２１を隠すことができ、また、天枠１２の載置部１２ｂに天井パネルの他の端部を載置することにより、接合部１２ａの固定に用いているネジ２１を隠すことができ、天井目地などの部材を備えることなく、浴室側にネジ２１等の締結手段が露出することを防ぐことができる。
また、天枠１１において、天井パネル１５等の浴室側表面と接する部分と壁パネル１６の浴室側表面と接する部分に止水部３０を一体形成し、また、天枠１２において、天井パネル１５等の浴室側表面と接する部分と壁パネル１６の浴室側表面と接する部分に止水部３０を一体形成したので、ネジ２１等に浴室内の水滴が付着することや水蒸気等が浴室背後側へ侵入することを防ぐことができ、錆もしくは腐食等の発生を抑制してシステムバス１の耐用年数を長期化することが可能になる。
【符号の説明】
【００３５】
１システムバス
１１，１２天枠
１１ａ第１接合部
１１ｂ第２接合部
１２ａ接合部
１２ｂ載置部
１３浴槽
１４洗場フロア
１５天井パネル
１５ａ浴槽側天井パネル
１５ｂ洗場側天井パネル
１６，１７壁パネル
２１ネジ
２２，２３天枠固定金具
３０止水部
３１，３２接続アングル
３３天井固定金具
４１充填剤
１５１，１５２接合面
【図１】
2016145459.tif 000003
【図２】
2016145459.tif 000004
【図３】
2016145459.tif 000005
【図４】
2016145459.tif 000006